(57)【要約】      （修正有）【課題】副排水経路側に、排水中の泡が混入せず、排水トラップの全高をより低くし、省スペースを達成し、副排水経路とトラップ部の接続箇所を任意に設定できるようにする排水トラップを提供する。【解決手段】主排水経路４以外からの副排水経路５が接続される枝管３を、前記トラップ部２の側面方向からトラップ部２内部に連通接続し、枝管３の上端の高さ位置をトラップ部２下端より上方に位置させるとともに、該枝管３をトラップ部２に対して軸回転可能に接続する。【選択図】図１
2017115563.tif 000002
【特許請求の範囲】
【請求項１】
封水部２１を内部に形成するトラップ部２と、
トラップ部２に構成される主排水経路４からの排水が流入する流入口２２と、
トラップ部２内部の排水が外部へと排出される流出口２３と、
トラップ部２の流入口２２から垂下して構成される壁であって、その下端とトラップ部２底壁との間に排水流路２６を形成して、封水部２１の下限を構成する封水下限壁２４と、
封水部２１底壁から流出口２３へ向かって立設して構成されて、封水部２１の上限を構成する封水上限壁２５と、
封水下限壁２４と封水上限壁２５によって形成される封水部２１と、
から構成される排水トラップにおいて、
主排水経路４以外からの副排水経路５が接続される枝管３を、前記トラップ部２の側面方向からトラップ部２内部に連通接続し、枝管３の上端の高さ位置をトラップ部２下端より上方に位置させるとともに、該枝管３をトラップ部２に対して軸回転可能に接続したことを特徴とする排水トラップ。
【請求項２】
前記枝管３の上端の高さ位置を、封水下限壁２４よりも上方に位置させることを特徴とする前記請求項１に記載の排水トラップ。
【請求項３】
前記枝管３の上端の高さ位置を、封水下限壁２４よりも下方であって、トラップ部２下端よりも上方に位置させることを特徴とする前記請求項１に記載の排水トラップ。
【請求項４】
前記枝管３は、封水下限壁２４よりも下流であって、尚かつ封水上限壁２５よりも上流に接続されていることを特徴とする前記請求項１乃至請求項３のいずれか一つに記載の排水トラップ。
【請求項５】
前記枝管３は、封水下限壁２４よりも上流であって、尚かつ封水面上面までの間に接続されていることを特徴とする前記請求項１乃至請求項３のいずれか一つに記載の排水トラップ。
【請求項６】
内部に排水を貯水可能であって、底部に排水口１１、側面にオーバーフロー口１２を開口する箱体から成る槽体１を備え、排水口１１の下流及びオーバーフロー口１２の下流に前記トラップ部２が接続されて、前記排水口１１から排出される排水の排水経路を主排水経路４、またオーバーフロー口１２から排出される排水の排水経路を副排水経路５としたことを特徴とする前記請求項１乃至請求項５のいずれか一つに記載の排水トラップ。
【発明の詳細な説明】
【技術分野】
【０００１】
本発明は、台所や浴槽、洗面台などの排水口から排水される排水を下水へと排水する排水管に備えられる、内部に封水を備える排水トラップに関するものである。
【背景技術】
【０００２】
本従来例の排水トラップは、洗面台に用いられる洗面ボウルに用いられ、下記に記載する、槽体と、排水口と、オーバーフロー口と、主排水経路と、排水管と、トラップ部と、副排水経路と、から構成される。
槽体は、箱体であって、底部に後述の排水口を開口し、側面には槽体内に貯水した水が溢れないように構成されたオーバーフロー口が開口されている。
排水口は、槽体底部に開口されて、その下流に排水管が接続される。槽体内の排水は当該排水口から槽体外部へと排出され、排水管を介してトラップ部、排水管へと排水される。
オーバーフロー口は、槽体の側面に開口配置され、槽体内の貯水が槽体上縁から溢れ出ないように構成される開口である。当該オーバーフロー口には管状のオーバーフロー管が接続されており、当該オーバーフロー管の下端は後述する主排水経路の枝管に接続されているので、オーバーフロー口からの排水はオーバーフロー管と主排水経路を介してトラップ部内へと排水される。そして、トラップ部内に排水されたオーバーフロー排水は、流出口からトラップ部外部へ排出され、排水管を介して最終的に下水管へ排水される。
排水管は、槽体の排水口に一端を接続し、他端を下流に配置されるトラップ部の流入口に接続する、後述するが本従来例ではこの排水経路を主排水経路とする。この主排水経路である排水管に、後述の枝管が構成され、副排水経路の排水が主排水経路の排水管内に流入する。
また、排水管は、トラップ部の流出口に一端を接続して、他端を下水管に接続した管状の部材である。よって、トラップ部は排水管の途中位置に配置されることとなる。
トラップ部は、図示しないが、側面視Ｕ字管から成る排水トラップであり、当該トラップ部は、流入口と、流出口と、封水下限壁と、封水上限壁と、封水部と、枝管と、から構成され、上流は主排水経路の排水管に接続され、下流は下水管へと繋がる排水管が接続される。
流入口は、トラップ部最上流に位置し、排水口からの排水を排水するために構成され、槽体内に発生した排水が排水口及び排水管、即ち主排水経路を介してトラップ部内部へ流入するための開口である。本従来例では、流入口から流出口まで連続して成る円筒状の管体であって、断面視Ｕ字状に管体を屈曲させて構成される。
流出口は、トラップ部最下流に構成されて、トラップ部内部の排水をトラップ部外部へと排出する為の開口である。よって、下流には排水管が接続されるので、トラップ部内部の排水は流出口から排水管へと排水される。
封水下限壁は、流入口から連続して垂下し、管体を屈曲させて構成される壁であって、本従来例では流入口から連続して、後述の封水部の最下端を構成するための壁部である。尚、当該封水下限壁の下端からトラップ部底壁の間には、排水が通過する為の排水流路が構成されている。
封水上限壁は、封水下限壁及び封水部底壁から流出口へ向かって連続して立ち上がって構成される壁である。また、後述の封水部の最上端を構成するための壁部である。
封水部は、トラップ部内に排水の一部を貯水することによって、下水からの臭気や害虫を室内側へ逆流させないために構成される部材であって、前述の封水上限壁及び封水下限壁により構成される。トラップ部内に排水を貯水し、封水下限壁の最下端から、封水上限壁の最上端までに貯水されている排水部分である。当該排水が貯水されていることにより、下水管からの臭気や害虫が室内側へ逆流することはない。また、封水部に相当する箇所は、封水下限壁下端から、封水上限壁上端に貯水している排水部分である。
枝管は、主排水経路である排水管に副排水経路の排水を主排水経路へと排水させるための部材であって、前記オーバーフロー管の下端、即ち副排水経路下端が接続される。
主排水経路は、槽体の排水口から流入口へと排水される排水経路であって、槽体の排水口と排水管を介し、トラップ部の流入口に至るまでの経路である。
副排水経路は、槽体の側面に開口したオーバーフロー口から排水される排水経路であって、槽体のオーバーフロー口とオーバーフロー管を介し、トラップ部の枝管に至る経路である。（特許文献１参照）
【０００３】
本従来例の排水トラップは、台所に用いられるシンクに用いられ、下記に記載する、槽体と、排水口と、オーバーフロー口と、主排水経路と、排水管と、トラップ部と、副排水経路と、から構成される。
槽体は、金属製の薄板状から成る箱体であって、底部に後述の排水口を開口し、側面には槽体内に貯水した水が溢れないように構成されたオーバーフロー口が開口されている。
排水口は、槽体底部に開口されて、その下流にトラップ部が接続される。槽体内の排水は当該排水口から槽体外部へと排出され、トラップ部を介して排水管へと排水される。
オーバーフロー口は、槽体の側面に開口配置され、槽体内の貯水が槽体上縁から溢れ出ないように構成される開口である。当該オーバーフロー口には管状のオーバーフロー管が接続されており、当該オーバーフロー管の下端は後述するトラップ部の枝管に接続されているので、オーバーフロー口からの排水はオーバーフロー管を介してトラップ部内へと排水される。そして、トラップ部内に排水されたオーバーフロー排水は、流出口からトラップ部外部へ排出され、排水管を介して最終的に下水管へ排水される。
排水管は、トラップ部の流出口に一端を接続して、他端を下水管に接続した管状の部材である。
トラップ部は、オワン状の箱体であって、流入口と、流出口と、封水下限壁と、封水上限壁と、封水部と、枝管と、から構成され、上流は槽体の排水口に接続され、下流は排水管が接続される。
流入口は、トラップ部最上流に位置して前記排水口に連通するように構成され、槽体内に発生した排水が排水口を介してトラップ部内部へ流入するための開口である。本従来例では、流入口部分に円筒状の排水筒を構成する。当該排水筒は、排水口から使用者が適宜着脱可能に排水口に取り付けられる。
流出口は、トラップ部最下流に構成されて、トラップ部内部の排水をトラップ部外部へと排出する為の開口である。また、本実施例では、流出口下流には排水管が接続されているので、トラップ部内部の排水はそのまま排水管へと排水される。
封水下限壁は、流入口から垂下して構成される壁であって、本従来例では流入口又は排水口に着脱自在に取り付けられた円筒状の排水筒から構成され、後述の封水部の最下端を構成するための壁部である。尚、当該封水下限壁の下端からトラップ部底壁の間には、排水が通過する為の排水流路が構成されている。
封水上限壁は、封水部底壁から流出口へ向かって立ち上がって構成される壁であって、本従来例では、トラップ部のオワン状部材の最上端であり、後述の封水部の最上端を構成するための壁部である。
封水部は、トラップ部内に排水の一部を貯水することによって、下水からの臭気や害虫を室内側へ逆流させないために構成される部材であって、前述の封水上限壁及び封水下限壁により構成される。トラップ部内に排水を貯水し、封水下限壁の最下端から、封水上限壁の最上端までに貯水されている排水部分である。当該排水が貯水されていることにより、下水管からの臭気や害虫が室内側へ逆流することはない。また、封水部に相当する箇所は、封水下限壁下端から、封水上限壁上端に貯水している排水部分である。
枝管は、トラップ部の底面に開口される開口であって、前記オーバーフロー口に接続されたオーバーフロー管、即ち副排水経路が接続される。当該枝管の最上端は、トラップ部最下端より低い箇所に位置する。
主排水経路は、槽体の排水口から排水される排水経路であって、槽体の排水口を介し、トラップ部の流入口に至るまでの経路である。
副排水経路は、槽体の側面に開口したオーバーフロー口から排水される排水の排水経路であって、槽体のオーバーフロー口及びオーバーフロー管を介し、トラップ部の枝管に至る経路である。（特許文献２参照）
【０００４】
本従来例の排水トラップは、洗面台に用いられる洗面ボウルに用いられ、下記に記載する、槽体と、排水口と、オーバーフロー口と、主排水経路と、排水管と、トラップ部と、副排水経路と、から構成される。
槽体は、箱体であって、底部に後述の排水口を開口し、側面には槽体内に貯水した水が溢れないように構成されたオーバーフロー口が開口されている。
排水口は、槽体底部に開口されて、その下流に排水管が接続される。槽体内の排水は当該排水口から槽体外部へと排出され、排水管を介してトラップ部、排水管へと排水される。
オーバーフロー口は、槽体の側面に開口配置され、槽体内の貯水が槽体上縁から溢れ出ないように構成される開口である。当該オーバーフロー口には管状のオーバーフロー管が接続されており、当該オーバーフロー管の下端は後述するトラップ部の枝管に接続されているので、オーバーフロー口からの排水はオーバーフロー管を介してトラップ部内へと排水される。そして、トラップ部内に排水されたオーバーフロー排水は、流出口からトラップ部外部へ排出され、排水管を介して最終的に下水管へ排水される。
排水管は、槽体の排水口に一端を接続し、他端を下流に配置されるトラップ部の流入口に接続する、後述するが本従来例ではこの排水経路を主排水経路とする。また、排水管は、トラップ部の流出口に一端を接続して、他端を下水管に接続した管状の部材である。よって、トラップ部は排水管の途中位置に配置されることとなる。
トラップ部は、上下２パーツの箱体であって、上下パーツは螺子やビスなどで水密的に固定接続される。また、トラップ部は、流入口と、流出口と、封水下限壁と、封水上限壁と、封水部と、枝管と、から構成され、上流は主排水経路の排水管に接続され、下流は下水管へと繋がる排水管が接続される。
流入口は、トラップ部最上流に位置し、排水口からの排水を排水するために構成され、槽体内に発生した排水が排水口及び排水管、即ち主排水経路を介してトラップ部内部へ流入するための開口である。本従来例では、流入口から管状に垂下させて円筒状に構成する。また、本従来例では、流入口から連続して円筒状壁を垂下させ、後述する封水下限壁を構成する。
流出口は、トラップ部最下流に構成されて、トラップ部内部の排水をトラップ部外部へと排出する為の開口である。よって、下流には排水管が接続されるので、トラップ部内部の排水は流出口から排水管へと排水される。また、本従来例では、後述の封水上限壁が連続して上方に垂設されている。
封水下限壁は、流入口から一体的かつ連続して垂下して構成される円筒状の壁であって、本従来例では流入口から連続して、後述の封水部の最下端を構成するための壁部である。尚、当該封水下限壁の下端からトラップ部底壁の間には、排水が通過する為の排水流路が構成されている。
封水上限壁は、封水部底壁から流出口へ向かって立ち上がって構成される壁であって、本従来例では、トラップ部流出口から上方に垂設して構成される部材である。また、後述の封水部の最上端を構成するための壁部である。
封水部は、トラップ部内に排水の一部を貯水することによって、下水からの臭気や害虫を室内側へ逆流させないために構成される部材であって、前述の封水上限壁及び封水下限壁により構成される。トラップ部内に排水を貯水し、封水下限壁の最下端から、封水上限壁の最上端までに貯水されている排水部分である。当該排水が貯水されていることにより、下水管からの臭気や害虫が室内側へ逆流することはない。また、封水部に相当する箇所は、封水下限壁下端から、封水上限壁上端に貯水している排水部分である。
枝管は、トラップ部の流入口の側方に開口する開口であって、前記オーバーフロー管、即ち副排水経路が接続される。なお、副排水経路が接続される枝管は、トラップ部の上パーツに構成される。
主排水経路は、槽体の排水口から流入口まで排水される排水経路であって、槽体の排水口と排水管を介し、トラップ部の流入口に至るまでの経路である。
副排水経路は、槽体の側面に開口したオーバーフロー口から排水される排水経路であって、槽体のオーバーフロー口とオーバーフロー管を介し、トラップ部の枝管に至る経路である。（特許文献３参照）
【先行技術文献】
【特許文献】
【０００５】
【特許文献１】実用新案登録２５６８０５２号
【特許文献２】特開２０１１−９４３０４号
【特許文献３】特開２０１０−０３７９２４号
【発明の概要】
【発明が解決しようとする課題】
【０００６】
従来例の排水トラップでは以下のような問題があった。
従来からのオーバーフロー配管の問題点として、排水中に洗剤や薬剤等が混ざっている際には泡が発生するが、排水中の泡は、気体を包む液体の表面張力により作られる為比重が排水より軽く、排水が終了した後にも配管内に残留してしまう。よって、排水中に泡が混入している場合には、オーバーフロー配管である副排水経路内に泡が残留してしまうことになる。その泡は排水を繰り返すたびに泡のみの水位がオーバーフロー管内で上昇してしまい、結果的にオーバーフロー口から泡が逆流してしまう事態が発生する。このように、オーバーフロー口から泡が逆流してしまうと、綺麗に清掃している槽体内が逆流した泡で汚染されてしまい、使用者にとっては大変不快である。また、オーバーフロー管内は、一般の使用者にとっては手を入れることができないため、清掃を行うことが出来ない。泡が常時貯留してしまうと、オーバーフロー管内にカビやヌメリ等の汚れが付着してしまうが清掃ができない為、使用者にとって不快感が増すばかりか、オーバーフロー管内の汚れで臭気が発生する事態も発生していた。
また、通常の排水トラップは、洗面台や台所で用いられる場合は槽体下に収納空間となることが多く、排水トラップ自身の省スペース化が課題として求められている。また、浴室で用いられる排水トラップに関しては、床下の配管スペースの高さを低くすることを求められる。しかしながら、排水トラップは封水部の高さが規格で規定されている為、封水部の高さ幅は少なくとも必要でありながら、排水トラップ自身の高さを低くする、ということも同時に求められる。
また、主排水経路の排水経路とは別に副排水経路を用いる排水トラップは非常に多いが、槽体におけるオーバーフロー口と排水口の位置関係、また、主排水経路と副排水経路双方の位置関係から、副排水経路がトラップ部に流入する位置については各種多様である。例えば、副排水経路のトラップ部への流入箇所が固定されてしまうと、トラップ部の流出口と排水管の接続位置と、主排水経路の排水管と流入口の接続位置が制限されることとなってしまう為、従来であれば、予め配管方向等を考慮した上で配管条件を設定して設計しなければならない。また、設計するにしても、排水トラップの各流入口の位置制限があるため、設計が煩雑となり、大変手間が掛かっていた。
【０００７】
特許文献１における排水トラップでは、主排水管経路と副排水管経路が排水管で連通接続されている為、排水中の泡が、副排水経路であるオーバーフロー管内に逆流して貯留しやすい為、容易にオーバーフロー口から泡が逆流してしまっていた。
【０００８】
また、特許文献２における排水トラップでは、副排水経路からの排水をトラップ部内部へ流入させる為の枝管を、トラップ部の底面に開口して構成し、枝管の上端はトラップ部底壁より低い箇所（下位）に構成されている。このような構成の排水トラップを採用すると、副排水経路の高さ分だけ排水トラップの全高が高くなってしまう。よって、排水トラップの高さに副排水経路分の高さが必要となり、従来の排水トラップより高さが必要となってしまう。よって、収納スペースや配管スペースを省スペース化する、という課題は解決できない。
【０００９】
また、特許文献３における排水トラップでは、副排水経路をトラップ部側面に接続しているものの、トラップ部の上パーツと下パパーツの接続を螺子またはビス接続としている為、現場での位置合わせができず、設計時点から詳細な配管条件を設定せねばならず、非常に不便であった。
【００１０】
以上のことから、本願発明は以下の課題を解決する。
１．副排水経路側に、排水中の泡が混入しない。
２．排水トラップの全高をより低くし、省スペースを達成する。
３．副排水経路とトラップ部の接続箇所を任意に設定できるようにする。
【課題を解決するための手段】
【００１１】
請求項１に記載の排水トラップは、封水部２１を内部に形成するトラップ部２と、トラップ部２に構成される主排水経路４からの排水が流入する流入口２２と、トラップ部２内部の排水が外部へと排出される流出口２３と、トラップ部２の流入口２２から垂下して構成される壁であって、その下端とトラップ部２底壁との間に排水流路２６を形成して、封水部２１の下限を構成する封水下限壁２４と、封水部２１底壁から流出口２３へ向かって立設して構成されて、封水部２１の上限を構成する封水上限壁２５と、封水下限壁２４と封水上限壁２５によって形成される封水部２１と、から構成される排水トラップにおいて、主排水経路４以外からの副排水経路５が接続される枝管３を、前記トラップ部２の側面方向からトラップ部２内部に連通接続し、枝管３の上端の高さ位置をトラップ部２下端より上方に位置させるとともに、該枝管３をトラップ部２に対して軸回転可能に接続したことを特徴とする排水トラップである。
【００１２】
請求項２に記載の排水トラップは、前記枝管３の上端の高さ位置を、封水下限壁２４よりも上方に位置させることを特徴とする前記段落００１１に記載の排水トラップである。
【００１３】
請求項３に記載の排水トラップは、前記枝管３の上端の高さ位置を、封水下限壁２４よりも下方であって、トラップ部２下端よりも上方に位置させることを特徴とする前記段落００１１に記載の排水トラップである。
【００１４】
請求項４に記載の排水トラップは、前記枝管３は、封水下限壁２４よりも下流であって、尚かつ封水上限壁２５よりも上流に接続されていることを特徴とする前記段落００１１乃至段落００１３のいずれか一つに記載の排水トラップである。
【００１５】
請求項５に記載の排水トラップは、前記枝管３は、封水下限壁２４よりも上流であって、尚かつ封水面上面までの間に接続されていることを特徴とする前記段落００１５乃至段落００１３のいずれか一つに記載の排水トラップである。
【００１６】
請求項６に記載の排水トラップは、内部に排水を貯水可能であって、底部に排水口１１、側面にオーバーフロー口１２を開口する箱体から成る槽体１を備え、排水口１１の下流及びオーバーフロー口１２の下流に前記トラップ部２が接続されて、前記排水口１１から排出される排水の排水経路を主排水経路４、またオーバーフロー口１２から排出される排水の排水経路を副排水経路５としたことを特徴とする前記段落００１１乃至段落００１５のいずれか一つに記載の排水トラップである。
【発明の効果】
【００１７】
請求項１乃至請求項５に記載の本発明は、主排水経路４以外からの副排水経路５が接続される枝管３を、前記トラップ部２の側面方向からトラップ部２内部に連通接続したことから、排水中に泡が混入していても、封水部２１の封水によって常時枝管３が封止され、副排水経路５へ泡が逆流することがない。
また枝管３の上端３１の高さ位置をトラップ部２下端より上方に位置させたことにより、副排水経路５の高さ（管径）分、全高を低くすることができる。
また、枝管３をトラップ部２に対して軸回転可能に接続したことにより、副排水経路５とトラップ部２の接続箇所を軸回転上に任意に設定できるようになり、施工現場で、枝管３をトラップ部２に対して軸回転させて簡単に位置決めできるので、簡単に施工設置することができる。
請求項６に記載の本発明は、内部に排水を貯水可能であって、底部に排水口１１、側面にオーバーフロー口１２を開口する箱体から成る槽体１を備え、排水口１１の下流及びオーバーフロー口１２の下流に前記トラップ部２が接続されて、前記排水口１１から排出される排水の排水経路を主排水経路４、またオーバーフロー口１２から排出される排水の排水経路を副排水経路５としたことから、オーバーフロー口１２から排水中の泡が逆流することを防止できる。また、槽体１下の収納スペースを大きくとることができる。
【図面の簡単な説明】
【００１８】
【図１】本発明の第１実施例を示す排水トラップを槽体に施工した際の断面図である。
【図２】本発明の第１実施例の排水トラップ部分を拡大した断面図である。
【図３】本発明の第１実施例の排水トラップ部分の断面図且つ分解斜視図である。
【図４】本発明の第１実施例の排水トラップ部分の断面斜視図である。
【図５】図２におけるＡ−Ａ’断面図である。
【図６】発明の第２実施例を示す排水トラップを槽体に施工した際の断面図である。
【図７】本発明の第２実施例の排水トラップ部分を拡大した断面図である。
【図８】本発明の第２実施例の排水トラップ部分の断面図且つ分解斜視図である。
【図９】本発明の第１実施例の排水トラップ部分の断面斜視図である。
【図１０】その他の実施例を示す斜視図である。
【図１１】図１０における実施例の、上パーツの斜視図である。
【図１２】その他の実施例を示す分解斜視図である。
【図１３】その他の実施例を示す断面斜視図である。
【発明を実施するための形態】
【実施例１】
【００１９】
本実施例の排水トラップは、洗面台に用いられる洗面ボウルに用いられ、図１乃至図５に記載するように、下記に記載する、槽体１と、排水口１１と、オーバーフロー口１２と、主排水経路４と、排水管４１と、トラップ部２と、副排水経路５と、から構成される。
槽体１は、箱体であって、底部に後述の排水口１１を開口し、側面には槽体１内に貯水した水が溢れないように構成されたオーバーフロー口１２が開口されている。
排水口１１は、槽体１底部に開口されて、その下流に排水管４１が接続される。槽体１内の排水は当該排水口１１から槽体１外部へと排出され、排水管４１を介してトラップ部２、排水管８へと排水される。
オーバーフロー口１２は、槽体１の側面に開口配置され、槽体１内の貯水が槽体１上縁から溢れ出ないように構成される開口である。当該オーバーフロー口１２には管状のオーバーフロー管５１が接続されており、当該オーバーフロー管５１の下端は後述するトラップ部２の枝管３に接続されているので、オーバーフロー口１２からの排水はオーバーフロー管５１を介してトラップ部２内へと排水される。そして、トラップ部２内に排水されたオーバーフロー排水は、流出口２３からトラップ部２外部へ排出され、排水管８を介して最終的に下水管へ排水される。
排水管４１は、槽体１の排水口１１に一端を接続し、他端を下流に配置されるトラップ部２の流入口２２に接続する。後述するが本実施例ではこの排水経路を主排水経路４とする。また、排水管８は、トラップ部２の流出口２３に一端を接続して、他端を下水管に接続した管状の部材である。よって、トラップ部２は排水管の途中位置に配置されることとなる。
トラップ部２は、側面視Ｙ字管から成る排水トラップであり、当該トラップ部２は、流入口２２と、流出口２３と、封水下限壁２４と、封水上限壁２５と、封水部２１と、枝管３と、接続部６と、から構成され、上流は主排水経路４の排水管４１に接続され、下流は下水管へと繋がる排水管８が接続される。また、トラップ部２の底部は、後述の枝管３が接続されるため、底部が開放して構成される。
流入口２２は、トラップ部２最上流に位置し、排水口１１からの排水を排水するために構成され、槽体１内に発生した排水が排水口１１及び排水管４１、即ち主排水経路４を介してトラップ部２内部へ流入するための開口である。本実施例では、流入口２２から流出口２３まで連続して成る円筒状の管体であって、断面視Ｙ字状に管体を屈曲させて構成される。
流出口２３は、トラップ部２最下流に構成されて、トラップ部２内部の排水をトラップ部２外部へと排出する為の開口である。よって、下流には排水管８が接続されるので、トラップ部２内部の排水は流出口２３から排水管へと排水される。
封水下限壁２４は、流入口２２から連続し、トラップ部２のＹ字の下方分岐部分から下方に向かって垂下し、管体を屈曲させて構成される上壁から下方に垂下して構成される壁である。本実施例では流入口２２から連続して、後述の封水部２１の最下端を構成するための壁部である。尚、当該封水下限壁２４の下端からトラップ部２底壁の間には、排水が通過する為の排水流路２６が構成されている。
封水上限壁２５は、封水部２１底壁から流出口２３へ向かって連続して立ち上がって構成される壁である。また、後述の封水部２１の最上端を構成するための壁部である。
封水部２１は、図２のハッチングで図示したように、トラップ部２内に排水の一部を貯水することによって、下水からの臭気や害虫を室内側へ逆流させないために構成される部材であって、前述の封水上限壁２５及び封水下限壁２４により構成される。トラップ部２内に排水を貯水し、封水下限壁２４の最下端から、封水上限壁２５の最上端までに貯水されている排水部分である。当該排水が貯水されていることにより、下水管からの臭気や害虫が室内側へ逆流することはない。
枝管３は、トラップ部２の底部に着脱自在且つトラップ部２に対して回転自在接続構成される断面視Ｌ字状のエルボである。枝管３には、側面方向に向かって構成される挿入管３２が構成され、この挿入管３２に、前記オーバーフロー管５１が接続されて、副排水経路５の排水がトラップ部２内へ流入することとなる。枝管３の挿入管３２は、図５の鎖線で示したように、トラップ部２に対して軸回転可能に接続されているので、副排水経路５の位置決めが容易になり、接続施工が簡単となる。
また、枝管３の上端３１の高さは、図２乃至図４に示すように、トラップ部２の封水下限壁２４よりも高い位置となるよう接続される。なお、枝管３の上端３１は、枝管３の側面方向かつ略水平方向に管状に構成した挿入管３２内周面の最上端を指す。
このようにしたことで、封水下限壁２４の最下端よりも高い箇所に枝管３の上端３１が配置されるので、封水下限壁２４最下端から、枝管３上端３１まで分の高さ幅を低くすることが出来、トラップ部２の全高を低くすることができる。また、トラップ部２の全高を低くすることができた為、省スペースを達成することができる。
また、枝管３の接続箇所を、トラップ部２の封水部２１より下位に接続したことで、排水中に泡が混入していたとしても、枝管３は封水部２１より下位に接続していることから、封水部２１によって枝管３が封止されているので、排水中の泡が逆オーバーフロー管５１（副排水経路５）側へ逆流することがない。よって、オーバーフロー口１２から泡が逆流するようなことがない。
また、接続部６は、図３に示すように、トラップ部２と枝管３を軸回転可能かつ水密的に接続する為の部材であり、本実施例では、トラップ部２底部に構成された開放端２７外周に構成された溝部６１と、止水パッキン６２と、別部材で構成したＣ字リング６３と、枝管３に構成した切り欠き部６５と、から構成される。
溝部６１は、Ｃ字リング６３に構成した凸部６４が係合する溝であり、トラップ部２の底部であって、枝管３が接続される開放端２７の外周に亘って構成される。
止水パッキン６２は、トラップ部２の底部であって、枝管３が接続される開放端２７の外周トラップ部２の底部であって、枝管３が接続される開放端２７の外周かつ、前記溝部６１より下方に配置される。当該水密パッキンは、枝管３とトラップ部２間に当接して、両者の水密化を図っている。
Ｃ字リング６３は、上面視Ｃ字状の切り欠き入りリング体であって、内周面の上端及び下端に、内周方向に飛び出して構成される凸部６４が構成される。上端の凸部６４は、トラップ部２の溝部６１に係合し、下端の凸部６４は、後述の枝管３の切り欠き部６５に係合する。接続部６をこのようなＣ字リング６３による係合接続としたことから、枝管３の挿入管３２をトラップ部２に対して軸回転可能に接続することが出来る。
尚、挿入管３２がトラップ部２に対して軸回転可能とは、図５の鎖線で示すように、トラップ部２の上面視、トラップ部２の開放端２７の軸中心に対して枝管３が回転可能となる。
切り欠き部６５は、枝管３の上端３１開口に構成される切り溝である。Ｃ字状リングの下端凸部６４が着脱自在に係合される。
主排水経路４は、槽体１の排水口１１から流入口２２まで排水される排水経路であって、槽体１の排水口１１と排水管４１を介し、トラップ部２の流入口２２に至るまでの経路である。
副排水経路５は、槽体１の側面に開口したオーバーフロー口１２から排水される排水経路であって、槽体１のオーバーフロー口１２とオーバーフロー管５１を介し、トラップ部２の枝管３に至る経路である。
【００２０】
上記の実施例排水トラップは以下のような施工手順となる。
まず、排水口１１に主排水経路４である排水管４１を接続し、その下方にトラップ部２の流入口２２を接続する。このとき、床下の下水管の位置を確認してトラップ部２の流出口２３の位置決めを行い、主排水経路４と流入口２２を接続する。従って、流入口２２を排水管４１に接続した際は、流入口２２と流出口２３の位置決めが行われることとなる。そして、予めトラップ部２の下方外周には止水パッキン６２を取り付けておく。
また、オーバーフロー口１２には予めオーバーフロー管５１の一端を接続しておき、オーバーフロー管５１の他端と枝管３を接続する。
枝管３の切り欠き部６５には予めＣ字リング６３の下端の凸部６４を係合させておく。
この状態から、オーバーフロー管５１が接続されている枝管３をトラップ部２底部の開放端２７に差し込む。そうすると、Ｃ字リング６３の上端の凸部６４が、トラップ部２外周の溝部６１に係合する為、トラップ部２と枝管３の接続が完了する。このとき、止水パッキン６２によってトラップ外周と枝管３内周は水密化されている。この枝管３とトラップ部２の接続時には、オーバーフロー口１２及びオーバーフロー管５１の方向と、位置決め接続されているトラップ部２下方開放端２７の間の、最短距離又は、配管納まりが良い部分に施工者が適宜設定、位置決めすることができるので、現場での施工が可能である。又、現場での施工が非常に簡単・容易である。また、副排水経路５の距離を最短距離にしたり、配管納まりをよくしたことで、槽体１下の配管スペースの省スペース化を達成することが出来る。
また、この後、トラップ部２の流出口２３に排水管８を接続し、排水管８と下水管を接続して、施工が完了する。
【００２１】
また、前記の排水トラップは、以下のような排水の流れとなる。
槽体１から排水が発生すると、槽体１底部の排水口１１から、槽体１外へ排水される。排水口１１内に排水された排水は、排水口１１に接続された排水管４１、即ち主排水経路４から、トラップ部２流入口２２へと排水され、トラップ部２内部へと排水が流入する。流入口２２から流入したトラップ部２内の排水は、封水下限壁２４下に構成されている排水流路２６を経由し、封水上限壁２５に到達する。封水上限壁２５に到達した排水は、封水上限壁２５を乗り越えて流出口２３に向かい、最終的には流出口２３からトラップ部２外部へと排水される。このとき、排水は、封水下限壁２４下端と封水上限壁２５上端の間に構成された封水部２１を介して排出される。流出口２３から排出された排水は、排水管８を介して、最終的には下水管へと排水される。
また、槽体１の排水口１１を閉塞した上で、槽体１内に貯水することなどの理由により槽体１内のオーバーフロー口１２から排水が発生した際は、オーバーフロー口１２に接続されたオーバーフロー管５１、すなわち副排水経路５へと排水され、挿入管３２を介して枝管３へと流入する。このとき、副排水経路５は、トラップ部２の封水部２１より下方に接続されているので、副排水経路５内にも一部封水部２１が形成される為、副排水経路５からの排水は、副排水経路５内に構成される封水部２１を通過してから、トラップ部２に接続された枝管３内部へと排水される。そして、枝管３から、トラップ部２の封水下限壁２４下端とトラップ部２底部の間に構成された排水流路２６の間を通過して、封水上限壁２５へ到達し、封水上限壁２５を乗り越えて、流出口２３へと排水される。このとき、副排水経路５からの排水は、トラップ部２内部の封水部２１を通過してトラップ部２外部へと排水される。従って、副排水経路５が接続される枝管３は、トラップ部２の封水部２１より下方に接続されるので、常時封水部２１によって封止されていることとなるので、主排水経路４の排水に泡が混入していたとしても、泡が副排水経路５側へと逆流するようなことはない。流出口２３から排出された排水は、排水管８を介して、最終的には下水管へと排水される。
【実施例２】
【００２２】
本実施例の排水トラップは、洗面台に用いられる洗面ボウルに用いられ、図６乃至図９に記載するように、下記に記載する、槽体１と、排水口１１と、オーバーフロー口１２と、主排水経路４と、排水管４１と、トラップ部２と、副排水経路５と、から構成される。
槽体１は、図６に示すように箱体であって、底部に後述の排水口１１を開口し、側面には槽体１内に貯水した水が溢れないように構成されたオーバーフロー口１２が開口されている。
排水口１１は、槽体１底部に開口されて、その下流に排水管４１が接続される。槽体１内の排水は当該排水口１１から槽体１外部へと排出され、排水管４１を介してトラップ部２、排水管８へと排水される。
オーバーフロー口１２は、槽体１の側面に開口配置され、槽体１内の貯水が槽体１上縁から溢れ出ないように構成される開口である。当該オーバーフロー口１２には管状のオーバーフロー管５１が接続されており、当該オーバーフロー管５１の下端は後述するトラップ部２の枝管３に接続されているので、オーバーフロー口１２からの排水はオーバーフロー管５１を介してトラップ部２内へと排水される。そして、トラップ部２内に排水されたオーバーフロー排水は、流出口２３からトラップ部２外部へ排出され、排水管８を介して最終的に下水管へ排水される。
排水管４１は、槽体１の排水口１１に一端を接続し、他端を下流に配置されるトラップ部２の流入口２２に接続する。後述するが本実施例ではこの排水経路を主排水経路４とする。また、排水管８は、トラップ部２の流出口２３に一端を接続して、他端を下水管に接続した管状の部材である。よって、トラップ部２は排水管の途中位置に配置されることとなる。
トラップ部２は、上側面視Ｕ字管から成る排水トラップであり、当該トラップ部２は、流入口２２と、流出口２３と、封水下限壁２４と、封水上限壁２５と、封水部２１と、枝管３と、接続部６と、から構成され、上流は主排水経路４の排水管４１に接続され、下流は下水管へと繋がる排水管８が接続される。また、トラップ部２の底部には流出口２３付近から分岐して後述の枝管３が接続されるため、底部の一部分が分岐して開放して構成される。
流入口２２は、トラップ部２最上流に位置し、排水口１１からの排水を排水するために構成され、槽体１内に発生した排水が排水口１１及び排水管４１、即ち主排水経路４を介してトラップ部２内部へ流入するための開口である。本実施例では、流入口２２から流出口２３まで連続して成る円筒状の管体であって、断面視Ｕ字状に管体を屈曲させて構成される。
流出口２３は、トラップ部２最下流に構成されて、トラップ部２内部の排水をトラップ部２外部へと排出する為の開口である。よって、下流には排水管８が接続されるので、トラップ部２内部の排水は流出口２３から排水管８へと排水される。また、トラップ部２底壁から流出口２３にかけて、一部分を分岐して、後述の枝管３が接続する開放端２７を構成する。また、当該開放端２７は、トラップ部２の封水下限壁２４より下流であって、封水上限壁２５までの流路を分岐して構成している。
封水下限壁２４は、流入口２２から連続して垂下し、管体を屈曲させて構成される上壁によって構成される壁である。また、封水下限壁２４は後述の封水部２１の最下端を構成するための壁部である。尚、当該封水下限壁２４の下端からトラップ部２底壁の間には、排水が通過する為の排水流路２６が構成されている。
封水上限壁２５は、封水部２１底壁から流出口２３へ向かって連続して立ち上がって構成される壁である。また、後述の封水部２１の最上端を構成するための壁部である。
封水部２１は図７のハッチングで図示したように、トラップ部２内に排水の一部を貯水することによって、下水からの臭気や害虫を室内側へ逆流させないために構成される部材であって、前述の封水上限壁２５及び封水下限壁２４により構成される。トラップ部２内に排水を貯水し、封水下限壁２４の最下端から、封水上限壁２５の最上端までに貯水されている排水部分である。当該排水が貯水されていることにより、下水管からの臭気や害虫が室内側へ逆流することはない。
枝管３は、トラップ部２の底部に着脱自在且つトラップ部２に対して回転自在接続構成される断面視Ｌ字状のエルボである。枝管３には、側面方向に向かって構成される挿入管３２が構成され、この挿入管３２に、前記オーバーフロー管５１が接続されて、副排水経路５の排水がトラップ部２内へ流入することとなる。枝管３は、トラップ部２に対して軸回転可能に接続されているので、副排水経路５の位置決めが容易になり、接続施工が簡単となる。
また、枝管３の上端３１の高さは、図７乃至図９に示したように、封水下限壁２４より下方かつトラップ部２の底部よりも高い位置となるよう接続される。なお、枝管３の上端３１は、枝管３の側面方向かつ略水平方向に管状に構成した挿入管３２内周面の最上端を指す。
また、枝管３の上端３１は、トラップ部２下端よりも高い位置であって、なおかつ封水下限壁２４よりも低い位置となるよう接続される。このようにしたことで、トラップ部２底壁の最下端よりも高い箇所に枝管３の上端３１が配置されるので、トラップ部２底部の下端から、枝管３上端３１まで分の高さ幅を低くすることが出来、トラップ部２の全高を低くすることができる。また、トラップ部２の全高を低くすることができた為、省スペースを達成することができる。
また、枝管３の接続箇所を、トラップ部２の封水部２１より下位に接続したことで、排水中に泡が混入していたとしても、枝管３は封水部２１より下位に接続していることから、封水部２１によって枝管３が封止されているので、排水中の泡が逆オーバーフロー管５１（副排水経路５）側へ逆流することがない。よって、オーバーフロー口１２から泡が逆流するようなことがない。
また、接続部６は、図８に示すように、トラップ部２と枝管３を軸回転可能かつ水密的に接続する為の部材であり、本実施例では、トラップ部２底部の開放端２７外周に構成された雄ねじ６６と、枝管３上端３１外周に構成される止水パッキン６２と、別部材で構成した袋ナット６７と、から構成される。
雄ねじ６６は、トラップ部２底部を分岐して構成された開放端２７の外周に構成された雄ねじ６６であって、袋ナット６７に構成された雌ねじ６８と螺合する。
止水パッキン６２は、三角形状のパッキンであって、枝管３のトラップ部２との接続側上端３１部外周に配置構成されており、当該止水パッキン６２により後述の袋ナット６７の抜け止めを行っている。また、当該止水パッキン６２によりトラップ部２と枝管３の間の水密化を図っている。
袋ナット６７は、内周に雌ねじ６８を構成し、前述のトラップ部２の開放端２７外周に構成された雄ねじ６６に螺合する。また、枝管３の取り付け用フランジに回転可能に係止される。
接続部６をこのような袋ナット６７によるねじ螺合接続としたことから、図９の想像線で示したように、枝管３の挿入管３２をトラップ部２に対して軸回転可能に接続することが出来る。
尚、トラップ部２に対して軸回転可能とは、図９の想像線で示したように、トラップ部２の上面視、トラップ部２の開放端２７の軸中心に対して枝管３が回転可能となり、挿入管３２が軸回転可能となる。
主排水経路４は、槽体１の排水口１１から流入口２２まで排水される排水経路であって、槽体１の排水口１１と排水管４１を介し、トラップ部２の流入口２２に至るまでの経路である。
副排水経路５は、槽体１の側面に開口したオーバーフロー口１２から排水される排水経路であって、槽体１のオーバーフロー口１２とオーバーフロー管５１を介し、トラップ部２の枝管３に至る経路である。
【００２３】
上記の実施例排水トラップは以下のような施工手順となる。
まず、排水口１１に主排水経路４である排水管４１を接続し、その下方にトラップ部２の流入口２２を接続する。このとき、床下の下水管の位置を確認してトラップ部２の流出口２３の位置決めを行い、主排水経路４と流入口２２を接続する。従って、流入口２２を排水管４１に接続した際は、流入口２２と流出口２３の位置決めが行われることとなる。そして、予めトラップ部２の下方外周には止水パッキン６２を取り付けておく。
また、オーバーフロー口１２には予めオーバーフロー管５１の一端を接続しておき、オーバーフロー管５１の他端と枝管３を接続する。
枝管３の止水パッキン６２によって予め袋ナット６７を係止させておく。この状態から、オーバーフロー管５１が接続されている枝管３をトラップ部２底部の開放端２７に差し込み、袋ナット６７の雌ねじ６８をトラップ部２の開放端２７外周に構成された雄ねじ６６に螺合させる。そうすると、トラップ部２と枝管３の接続が完了する。このとき、止水パッキン６２によってトラップ外周と枝管３内周は水密化されている。この枝管３とトラップ部２の接続時には、オーバーフロー口１２及びオーバーフロー管５１の方向と、位置決め接続されているトラップ部２下方開放端２７の間の、最短距離又は、配管納まりが良い部分に施工者が適宜設定、位置決めすることができるので、現場での施工が可能である。又、現場での施工が非常に簡単・容易である。また、副排水経路５の距離を最短距離にしたり、配管納まりをよくしたことで、槽体１下の配管スペースの省スペース化を達成することが出来る。
また、この後、トラップ部２の流出口２３に排水管８を接続し、排水管８と下水管を接続して、施工が完了する。
【００２４】
また、前記の排水トラップは、以下のような排水の流れとなる。
槽体１から排水が発生すると、槽体１底部の排水口１１から、槽体１外へ排水される。排水口１１内に排水された排水は、排水口１１に接続された排水管４１、即ち主排水経路４から、トラップ部２流入口２２へと排水され、トラップ部２内部へと排水が流入する。流入口２２から流入したトラップ部２内の排水は、封水下限壁２４下に構成されている排水流路２６を経由し、封水上限壁２５に到達する。封水上限壁２５に到達した排水は、封水上限壁２５を乗り越えて流出口２３に向かい、最終的には流出口２３からトラップ部２外部へと排水される。このとき、排水は、封水下限壁２４下端と封水上限壁２５上端の間に構成された封水部２１を介して排出される。流出口２３から排出された排水は、排水管８を介して、最終的には下水管へと排水される。
また、槽体１の排水口１１を閉塞した上で、槽体１内に貯水することなどの理由により槽体１内のオーバーフロー口１２から排水が発生した際は、オーバーフロー口１２に接続されたオーバーフロー管５１、すなわち副排水経路５へと排水され、挿入管３２を介して枝管３へと流入する。このとき、副排水経路５は、トラップ部２の封水部２１より下方に接続されているので、副排水経路５内にも一部封水部２１が形成される為、副排水経路５からの排水は、副排水経路５内に構成される封水部２１を通過してから、トラップ部２に接続された枝管３内部へと排水される。そして、枝管３から、トラップ部２の封水下限壁２４下端とトラップ部２底部の間に構成された排水流路２６の間を通過して、封水上限壁２５へ到達し、封水上限壁２５を乗り越えて、流出口２３へと排水される。このとき、副排水経路５からの排水は、トラップ部２内部の封水部２１を通過してトラップ部２外部へと排水される。従って、副排水経路５が接続される枝管３は、トラップ部２の封水部２１より下方に接続されるので、常時封水部２１によって封止されていることとなるので、主排水経路４の排水に泡が混入していたとしても、泡が副排水経路５側へと逆流するようなことはない。流出口２３から排出された排水は、排水管８を介して、最終的には下水管へと排水される。
【００２５】
本発明は前記した実施例のほか、特許請求の範囲を越えない範囲で適宜変更は可能である。
図１０及び図１１で示したその他の実施例のように、トラップ部２の構成を円形状の箱体とし、上下２パーツのトラップ部２としてもかまわない。この実施例の場合、上パーツ上面に流入口２２及び流出口２３を構成するとともに、図１１のように上パーツの内部側裏面に、下方に隔壁上に垂下して構成する封水下限壁２４を構成する。また、上パーツの流出口２３接続面が封水上限壁２５となる。また、トラップ部２の上下パーツの接続は、実施例１で示したＣ字リング６３を用いた接続構造を採用している。トラップ部２の下パーツには、副排水経路５との接続箇所である枝管３が一体的に構成される。ここでの枝管３の上端３１は、トラップ部２の下パーツ部分と連通する開口部分の最上端である。このような図１０及び図１１に示すような実施例であっても、枝管３がトラップ部２の封水部２１より下方に接続されていることから、副排水経路５側に排水中の泡が混入しないし、排水トラップの全高をより低くし、省スペースを達成することができる。また、トラップ部２の上パーツと下パーツを軸回転可能に接続していることから、副排水経路５とトラップ部２の接続箇所を軸回転で任意に設定できるようになった。
【００２６】
また、図１２及び図１３で示したその他に実施例のように、トラップ部２の構成を円形状の箱体とし、上下２パーツのトラップ部２としてもかまわない。この実施例の場合、上パーツ上面に流入口２２及び流出口２３を構成するとともに、上パーツの内裏面に、流出口２３から垂下して円筒状に封水下限壁２４を垂下して構成する。また、上パーツの流出口２３接続面が封水上限壁２５となる。また、トラップ部２の上下パーツの接続は、実施例１で示したＣ字リング６３を用いた接続構造を採用している。トラップ部２の下パーツには、副排水経路５の接続箇所である枝管３が一体的に構成される。ここでの枝管３の上端３１は、トラップ部２の下パーツ部との連通する開口部分の最上端である。このような図１１及び図１２に示すような実施例であっても、枝管３がトラップ部２の封水部２１より下方に接続されていることから、副排水経路５側に排水中の泡が混入しないし、排水トラップの全高をより低くし、省スペースを達成することができる。また、トラップ部２の上パーツと下パーツを軸回転可能に接続していることから、副排水経路５とトラップ部２の接続箇所を軸回転で任意に設定できるようになった。
【符号の説明】
【００２７】
１    槽体
１１  排水口
１２  オーバーフロー口
２    トラップ部
２１  封水部
２２  流入口
２３  流出口
２４  封水下限壁
２５  封水上限壁
２６  排水流路
２７  開放端
３    枝管
３１  枝管の上端
３２  挿入管
４    主排水経路
４１  排水管
５    副排水経路
５１  オーバーフロー管
６    接続部
６１  溝部
６２  止水パッキン
６３  Ｃ字リング
６４  凸部
６５  切り欠き部
６６  雄ねじ
６７  袋ナット
６８  雌ねじ
８    排水管
【図１】
2017115563.tif 000003
【図２】
2017115563.tif 000004
【図３】
2017115563.tif 000005
【図４】
2017115563.tif 000006
【図５】
2017115563.tif 000007
【図６】
2017115563.tif 000008
【図７】
2017115563.tif 000009
【図８】
2017115563.tif 000010
【図９】
2017115563.tif 000011
【図１０】
2017115563.tif 000012
【図１１】
2017115563.tif 000013
【図１２】
2017115563.tif 000014
【図１３】
2017115563.tif 000015